(57)【要約】【課題】  プラスチック製、及び金属製ボトル飲料をストローで飲む際、ストロー先端が広範囲に不意に移動して、飲みにくく、また目を刺すなどの危険もあり、不適当であった。【解決手段】  容器の口に位置するストローの一部に膨らみを施し、容器の口の内面で左右、前後の動きを封じるとともに、膨らみより上のストローをこの膨らみで固定し、常に垂直に保つ。【選択図】  図３
2006020991.tif 000002
【特許請求の範囲】
【請求項１】
ストローに取り付ける機能を有し、１．０センチメートル以上の長さの柱状部分、または側面に１．０センチメートル以上の筒状の部分がある膨らみで、この柱状または筒状部分の水平断面外径の直径、または最長の幅（１４）が、飲料用液体容器の口（８）の内径の直径に対して、０．７０以上、１．００未満の比率となる膨らみ（１）。
【請求項２】
ストローに取り付ける機能を有し、１．０センチメートル以上の長さの柱状部分、または側面に１．０センチメートル以上の筒状の部分がある膨らみで、この柱状または筒状部分の水平断面の面積が飲料用液体容器の口（８）内側の水平断面積に対して４５．０パーセント以上、１００．０パーセント未満である膨らみ（１）。
【請求項３】
ストローに取り付ける機能を有し、１．０センチメートル以上の長さの柱状部分、または側面に１．０センチメートル以上の筒状の部分がある膨らみで、この柱状または筒状部分の水平断面外径の直径、または最長の幅（１４）が、１．４０センチメートル以上、３．１０センチメートル未満である膨らみ（１）。
【請求項４】
ストローに取り付ける機能を有し、１．０センチメートル以上の長さの柱状部分、または側面に１．０センチメートル以上の筒状の部分がある膨らみで、この柱状または筒状部分の水平断面の面積が１．４０平方センチメートル以上、７．１０平方センチメートル未満である膨らみ（１）。
【請求項５】
１．０センチメートル以上の長さの柱状部分を有し、その部分の水平断面が楔形、または星形で、その頂点を結んだ面の面積、外径の直径、または最長の幅が、請求項１から請求項４までのいずれかに該当する膨らみ（１）。
【請求項６】
請求項１から請求項５の膨らみ（１）の側面の筒状部分、または柱状部分に、溝、または切れ目が施されているもの。
【請求項７】
ストローに請求項１から請求項６までのいずれかの膨らみを取り付けた、または一体に接合したもので、蓋を開けた飲料用液体容器に差し込んだ状態で、容器の口（８）の内部に膨らみ（１）の柱状部分、または側面の筒状部分の少なくとも一部が位置するように膨らみ（１）が施されたもの。
【請求項８】
請求項７のストローが曲がった、または曲がることができるストロー（２）で、蓋を開けた飲料用液体容器に差し込んだ状態で、ストローの頂点（３）から、ストローと膨らみ（１）上部の接合点（４）まで引いた直線と、ストローと膨らみ（１）下部の接合点（５）から、ストローの底点（６）まで引いた直線が、平行でないもの。
【請求項９】
請求項７、及び請求項８のストロー（２）と膨らみ（１）が接合されていない状態で同時に提供されているもの。
【請求項１０】
請求項１から請求項９までの何れかを満たす膨らみ（１）、または膨らみ（１）が施されたストローで、膨らみ（１）に模様が施され、蓋を開けた状態では容器の口（８）より上に、少なくともこの模様の一部が出ているもの。
【発明の詳細な説明】
【技術分野】
【０００１】  本発明はストロー、及びこれに取り付けられる器具に関するものである。
【背景技術】
【０００２】  ペットボトルや金属製ボトルなどに入った飲料をストローで飲む際、ストローの先端の位置が定まらず、図５のように広範囲に素早く移動して飲みにくく、また不意に移動するためストローの先端で顔を引っ掻いたりするなどの安全性に問題が生じていた。
【発明の開示】
【発明が解決しようとする課題】
【０００３】  これは、ペットボトルや金属製ボトルなどの容器底部の中央部分が隆起していることでストローが斜めになる上、容器の口が円形で、ストローが安定しないことに起因している。【０００４】  ストローの飲み口部分である頂点（３）の移動範囲は図５、及び図６に示されるように広範囲で、また容器の角度により素早く移動するため、極めて不便であった。【０００５】  僅かな容器の角度の変化により、広範囲に素早くストローの先端が移動し、斜めの突出しているため、不用意に口の周りの顔を刺すことは頻繁で、特に目を刺す危険があり、非常に不適当であった。【０００６】  このため、ストローの先端が広範囲に移動しないようにする必要が生じ、従来はストローを固定する部分を容器に施す考案も為されたが、容器の形状を変更することは莫大な設備投資を伴い、また容器に飲料を注入する製品の製造工程上でも問題を抱え、実用に至るまでには解決すべき問題点も多く、一般的に商品化するに至っていない。【０００７】  発明は、これらの問題を解決するために考案されたものである。
【課題を解決するための手段】
【０００８】  まず、ストローの頂点（３）の移動範囲が極めて狭い範囲内に留まるようにすることが必要である。【０００９】  また、容器の角度が変化しても、ストローの頂点（３）が容器に対して一定の方向に向いているようにする必要がある。【００１０】  更に、容器の形状を変更することなく、また、利用者にとって簡便な方法でこれらの点を満たす必要がある。【００１１】  これらの問題を解決するためには、容器の底から口に至る容器内部でのストローの角度を補正して、容器の口（８）内部で固定し、口より上ではストローは常に垂直に近い状態に保つようにする。【００１２】  またストローの底点（６）が移動しても、この補正によりストローの頂点（３）が常に容器の口（８）の中心点の上方の狭い範囲内に位置するようにする。【００１３】  この補正機能は容器の形状を変更せず、ストローに備える。【００１４】  具体例としては、狭口の容器の場合、曲がるストローに、直径１．９センチメートルの円柱状で長さが３．０センチメートルの膨らみ（１）を容器の口（８）の内面に位置するように施す。【００１５】  この膨らみ（１）より上に位置するストローは垂直に固定し、下に位置するストローは容器底部の端に至るように、長さと、角度を調節する。
【発明の効果】
【００１６】  ストローに施された膨らみ（１）は容器の口の内面により、左右、前後の移動ができなくなり、容器の角度に関わらず、ストローの頂点（３）は、容器に対し常にほぼ一定の位置に保たれる。【００１７】  容器内部のストローの底点（６）が移動しても、ストローの頂点（３）は回転するのみで、位置は殆ど変わらない。【００１８】  膨らみ（１）は上下に移動が可能なため脱着が容易で、またストローに伸縮機能、または弾力性が備わっていれば、装着したまま蓋を閉めることも可能で、再び蓋を開けると、膨らみ（１）及びストローの先端（３）はもとの位置に戻る。
【発明を実施するための最良の形態】
【００１９】  膨らみ（１）の外形が円柱形で、その直径は使用する容器の口の内径に対し９０％から９５％、上面及び底面は丸みをおびた、長さ３センチメートル程度のものが好ましい。【００２０】  これに装着するストローは、使用する容器の形状をもとに膨らみ（１）の装着位置を想定し、予め一定の位置、角度で曲げられたものが好ましい。【００２１】  また、ストローに伸縮機能、または弾力性が備わっていれば、装着したまま蓋を閉めることも可能で、一層利便性が向上する。【００２２】  更に、膨らみ（１）に動物などの顔が描かれていた場合、容器から顔を出しているようで、機能性だけでなく、ユニークさの訴求効果も与えることができる。
【実施例】
【００２３】  狭口の５００ｍｌ容量のペットボトルに装着するものの実施例を、図３を例にして以下に記述する。【００２４】  容器の口の内径は、各社とも微妙に異なるが、直径２０．５ｃｍ±０．５のものが殆どで多く、最小の２０．０ｃｍに対応するもので適応対象を広くする。【００２５】  膨らみ（１）は円筒状で上面と底面に丸みを帯びた、図３の膨らみ（１）の外形で、上下にストローを通す穴が施されたものである。【００２６】  円筒部分の直径は１．９ｃｍ、長さは３．０ｃｍとする。【００２７】  蛇腹の部分を有するストロー（２）に膨らみ（１）を取り付け、この際、ストローの蛇腹部分が膨らみ（１）の下部（５）に接合するようにして、膨らみ（１）下部の接合点（５）を曲げて、ストローの底点（６）が容器の底面と側面が接する部分に位置するようにする。【００２８】  また、この蛇腹の凹凸を利用して膨らみ（１）が上下にずれにくくする。【００２９】  膨らみ（１）が、容器の口（８）内に位置し、かつ口（８）より上に１ｃｍ程度出た状態となるようにストローの長さを調節する。【００３０】  これにより、ストローの頂点（３）の左右、前後の移動はほぼ封じられ、常に容器の口の上部にある狭い空間内に存在し、容器の角度を変えても、容器の口に対するストローの頂点（３）の位置はほぼ変わらない。【００３１】  更に、膨らみ（１）より上に出ているストローを１．０ｃｍとし、膨らみ（１）より下のストローに弾力性を付加すると、この膨らみ（１）を有するストローを装着したまま、蓋をすることができ、再び蓋を開けると、ストローの先端（３）はほぼ同位置に戻る。【００３２】  このとき、膨らみ（１）の上部１．０ｃｍの位置に動物の顔を描いておくと、動物がひょっこり顔を出す、図１４に示されているようなユニークなものになる。
【産業上の利用可能性】
【００３３】  近年、ペットボトルや金属製ボトル飲料の市場が拡大し、消費者ニーズも多様化してきている。【００３４】  これに対し、飲料メーカーも多額の設備投資を行い、広口としたものも出てきたが、依然として容器から直接飲むことに抵抗感の強い女性が多い。【００３５】  しかし、容器の口が円形で、また容器底部が隆起した構造は当面変わることなく、これに起因してストローの先端が不意に、かつ広範囲に移動し、飲みにくいとともに危険であることに変わりはない。【００３６】  多額の設備投資を必要とせずに、この点が解決され、かつ機能性に留まらず、愛嬌のあるユニークな本発明は、女性を中心とした消費者の需要が期待され、アイディア日用品としての販売以外に、飲料メーカーや量販店での販売促進資材としての活用が十二分に見込まれ、早期に利用が期待されるものである。
【図面の簡単な説明】
【００３７】
【図１】  本発明の膨らみを施したストローを装着した液体容器の側面図である。
【図２】  図１の上面図である。
【図３】  本発明の膨らみを施したストローを装着した液体容器の側面図である。
【図４】  図３の上面図である。
【図５】  従来のストローを使用した際のその頂点（３）が移動する範囲を示した側面図である。
【図６】  図５の上面図である。
【図７】  本発明のストローの側面図で、ストロー（２）に膨らみ（１）を装着したものである。
【図８】  本発明のストローの側面図で、ストロー（２）と膨らみ（１）が一体構造であるもの。
【図９】  本発明の取り付け用の膨らみ（１）に模様を施したものの側面図である。
【図１０】  図９の膨らみ（１）を脱着のため開いた、外面の図である。
【図１１】  図１０の内面の図である。
【図１２】  図９の上面図である。
【図１３】  本発明のストローを装着したまま蓋を閉めた際の収納の様子を示した側面図である。
【図１４】  本発明の膨らみ（１）に模様を施したものを使用した際の側面図である。
【符号の説明】
【００３８】１はストローに施した、または取り付けた膨らみ。
２はストロー。
３はストロー（２）の頂点。
４はストロー（２）と膨らみ（１）上部の接合部分。
５はストロー（２）と膨らみ（１）下部の接合部分。
６はストロー（２）の底点。
７は容器。
８は容器（７）の口。
９は容器の口（８）の頂点、または最上位点。
１０は容器の口（８）と容器本体の接合部分、または容器の口の最低位点。
１１は容器（７）の底点。
１２はストローの頂点（３）の移動範囲。
１３は蓋。
１４は膨らみ（１）外径の直径、または最長の幅。
１５は取り付け用膨らみ（１）の内面に施した留め具。
１６は留め具（１５）に対応したもう一方の留め具。
１７は取り付け用膨らみ（１）に施したストロー（２）を通す穴。
１８は取り付け用膨らみ（１）の開閉部分。
【図１】
2006020991.tif 000003
【図２】
2006020991.tif 000004
【図３】
2006020991.tif 000005
【図４】
2006020991.tif 000006
【図５】
2006020991.tif 000007
【図６】
2006020991.tif 000008
【図７】
2006020991.tif 000009
【図８】
2006020991.tif 000010
【図９】
2006020991.tif 000011
【図１０】
2006020991.tif 000012
【図１１】
2006020991.tif 000013
【図１２】
2006020991.tif 000014
【図１３】
2006020991.tif 000015
【図１４】
2006020991.tif 000016